【手続補正書】
【提出日】平成20年7月14日(2008.7.14)
【手続補正１】
【補正対象書類名】明細書
【補正対象項目名】特許請求の範囲
【補正方法】変更
【補正の内容】
【特許請求の範囲】
【請求項１】  インク滴を吐出する複数のドット形成要素が設けられたドット記録ヘッドを用いて印刷媒体の表面にドットの記録を行うドット記録装置であって、
前記ドット記録ヘッドを前記印刷媒体に対して駆動して主走査を行う主走査駆動部と、
前記主走査の最中に前記複数のドット形成要素のうちの少なくとも一部を駆動してドットの形成を行わせるヘッド駆動部と、
前記主走査の方向と交わる方向に前記印刷媒体を駆動して副走査を行う副走査駆動部と、
所定の検出地点における前記印刷媒体の有無を検知するための検知部と、
前記各部を制御するための制御部と、を備え、
前記検知部は、前記主走査の際に前記ドット形成要素から吐出されるインク滴の軌跡と交わらない位置であって、前記副走査の方向については、印刷に使用される前記ドット形成要素のうち前記副走査の方向の下流側の端に位置するドット形成要素よりも上流の位置に設けられている、ドット記録装置。
【請求項２】  請求項１記載のドット記録装置であって、
前記検知部は、
前記所定の検出地点に向けて光を射出する発光部と、
前記光が前記印刷媒体に当たって反射した反射光を受ける受光部と、
を有するドット記録装置。
【請求項３】  請求項１記載のドット記録装置であって、
前記検知部は、前記主走査の際に前記ドット記録ヘッドと一体で移動するように設けられている、ドット記録装置。
【請求項４】  請求項１記載のドット記録装置であって、
前記制御部は、
前記印刷媒体上の領域と前記印刷媒体の後端を超えて設定された領域とを含む画像領域に画像を印刷することが可能な画像データを準備する機能と、
前記画像データに基づいて、前記ドット記録ヘッドから前記印刷媒体に向けてインク滴を吐出しつつ前記主走査および前記副走査を行う機能と、
前記印刷媒体の後端が前記検出地点を通過したことを前記検知部で検知して、その時点から一定の距離だけ前記副走査を行った時点で、前記画像データに基づくドット記録を終了する機能と、を備えるドット記録装置。
【請求項５】  請求項４記載のドット記録装置であって、
前記一定の距離は、前記印刷媒体の材質に応じて定められている、ドット記録装置。
【請求項６】  請求項４記載のドット記録装置であって、
前記一定の距離は、前記印刷媒体の大きさに応じて定められている、ドット記録装置。
【請求項７】  請求項１記載のドット記録装置であって、さらに、
前記主走査の行路の少なくとも一部において前記ドット形成要素と向かい合うように、前記主走査の方向に延長して設けられ、前記印刷媒体を支持するプラテンを備え、
前記プラテンは、前記複数のドット形成要素の少なくとも一部と向かい合う位置に、前記主走査の方向に延長して設けられた溝部を有しており、
前記検出地点は、前記溝部の開口内で、かつ、前記副走査の方向に関しては前記ドット形成要素が存在する範囲内の所定の位置である、ドット記録装置。
【請求項８】  請求項７記載のドット記録装置であって、
前記溝部は、少なくとも前記複数のドット形成要素のうち前記副走査の方向の上流側の端に位置するドット形成要素と向かい合う位置に、前記主走査の方向に延長して設けられた上流側溝部である、ドット記録装置。
【請求項９】  請求項７記載のドット記録装置であって、
前記検知部は、前記溝部と向かい合う位置に設けられているドット形成要素のうちの下流側の端に位置するドット形成要素の近傍に設置されている、ドット記録装置。
【請求項１０】  インク滴を吐出する複数のドット形成要素が設けられたドット記録ヘッドと、主走査の際の前記ドット形成要素のインク滴の軌跡と交わらない位置に設けられ所定の検出地点における前記印刷媒体の有無を検知するための検知部と、を備え、前記印刷媒体の表面にドットの記録を行うドット記録装置を使用したドット記録方法であって、
前記検知部の位置は、副走査の方向については、印刷に使用される前記ドット形成要素のうち前記副走査の方向の下流側の端に位置するドット形成要素よりも上流の位置に設定されており、
前記ドット記録方法は、
（ａ）前記印刷媒体上の領域と前記印刷媒体の後端を超えて設定された領域とを含む画像領域に画像を印刷することが可能な画像データを準備する工程と、
（ｂ）前記画像データに基づいて、前記ドット記録ヘッドから前記印刷媒体に向けてインク滴を吐出しつつ前記主走査および前記副走査を行う工程と、
（ｃ）前記印刷媒体の後端が前記検出地点を通過したことを前記検知部で検知して、その時点から一定の距離だけ前記副走査を行った時点で、前記画像データに基づくドット記録を終了する工程と、を備えることを特徴とするドット記録方法。
【請求項１１】  請求項１０記載のドット記録方法であって、
前記ドット記録装置は、前記主走査の行路の少なくとも一部において前記ドット形成要素と向かい合うように、前記主走査の方向に延長して設けられ、前記印刷媒体を支持するプラテンを備え、
前記プラテンは、前記複数のドット形成要素の少なくとも一部と向かい合う位置に、前記主走査の方向に延長して設けられた溝部を有しており、
前記工程（ｂ）および（ｃ）は、
前記溝部の開口内で、かつ、前記副走査の方向に関しては前記ドット形成要素が存在する範囲内の所定の位置である前記検出地点における前記印刷媒体の有無を検知する工程を含む、ドット記録方法。
【請求項１２】  インク滴を吐出する複数のドット形成要素が設けられたドット記録ヘッドと、主走査の際の前記ドット形成要素のインク滴の軌跡と交わらない位置に設けられ所定の検出地点における前記印刷媒体の有無を検知するための検知部と、を有し、前記印刷媒体の表面にドットの記録を行うドット記録部を備えるコンピュータに、ドットの記録を行わせるためのコンピュータプログラムを記録したコンピュータ読み取り可能な記録媒体であって、
前記検知部の位置は、副走査の方向については、印刷に使用される前記ドット形成要素のうち前記副走査の方向の下流側の端に位置するドット形成要素よりも上流の位置に設定されており、
前記記録媒体は、
前記印刷媒体上の領域と前記印刷媒体の後端を超えて設定された領域とを含む画像領域に画像を印刷することが可能な画像データを準備する機能と、
前記画像データに基づいて、前記ドット記録ヘッドから前記印刷媒体に向けてインク滴を吐出しつつ前記主走査および前記副走査を行う機能と、
前記印刷媒体の後端が前記検出地点を通過したことを前記検知部で検知して、その時点から一定の距離だけ前記副走査を行った時点で、前記画像データに基づくドット記録を終了する機能と、
を前記コンピュータに実現させるためのコンピュータプログラムを記録しているコンピュータ読み取り可能な記録媒体。
【請求項１３】  請求項１２記載の記録媒体であって、
前記ドット記録部は、前記主走査の行路の少なくとも一部において前記ドット形成要素と向かい合うように、前記主走査の方向に延長して設けられ、前記印刷媒体を支持するプラテンを備え、
前記プラテンは、前記複数のドット形成要素の少なくとも一部と向かい合う位置に、前記主走査の方向に延長して設けられた溝部を有しており、
前記記録媒体は、さらに、前記溝部の開口内で、かつ、前記副走査の方向に関しては前記ドット形成要素が存在する範囲内の所定の位置である前記検出地点における前記印刷媒体の有無を検知する機能を前記コンピュータに実現させるためのコンピュータプログラムを記録しているコンピュータ読み取り可能な記録媒体。
【手続補正２】
【補正対象書類名】明細書
【補正対象項目名】００１１
【補正方法】変更
【補正の内容】
【００１１】
また、検知部が印刷媒体を検出しなくなった後に新たに記録される主走査ラインの本数、または上記一定の距離は、印刷媒体の材質に応じて定められていることが好ましい。このような態様とすれば、副走査の際に滑りが生じやすい材質の印刷媒体については、新たに記録される主走査ラインの本数または上記一定の距離を多くし、副走査の際に滑りが生じにくい材質の印刷媒体については、新たに記録される主走査ラインの本数または上記一定の距離を少なく設定することができる。
【手続補正３】
【補正対象書類名】明細書
【補正対象項目名】００２６
【補正方法】変更
【補正の内容】
【００２６】
次に、図３によりプリンタ２２の概略構成を説明する。特許請求の範囲における「印刷装置」とは、コンピュータ９０とこのプリンタ２２を含む概念である。図示するように、このプリンタ２２は、紙送りモータ２３によって印刷用紙Ｐを搬送する機構と、搬送の際に印刷用紙Ｐをガイドするガイド２９ａ，２９ｂ（図３において図示せず）と、キャリッジモータ２４によってキャリッジ３１を印刷用紙Ｐの搬送方向と垂直な方向に往復動させる機構と、キャリッジ３１に搭載された印刷ヘッド２８を駆動してインクの吐出およびインクドットの形成を行う機構と、これらの紙送りモータ２３、キャリッジモータ２４、印刷ヘッド２８および操作パネル３２との信号のやり取りを司る制御回路４０とから構成されている。